(57)【要約】【課題】良好なレッドレフレクスを得ることができ、かつ網膜硝子体手術において質の高い観察像を得ることが可能な手術用顕微鏡を提供する。【解決手段】手術用顕微鏡１の観察光学系３０は、患者眼Ｅによる第１照明光の反射光を対物レンズ３１や変倍レンズ３２を介して接眼レンズ３６に導く。観察光路にはハーフミラー４０が配置される。ハーフミラー４０は、第１照明光学系２０Ａからの照明光の一部を観察光学系３０と略同軸にかつ患者眼Ｅに向かう方向に反射させる。更にハーフミラー４０は、観察光学系３０により導かれる上記反射光の一部を透過させる。制御部６０は、患者眼Ｅの後眼部を観察するための所定の要求を受けたときに、ハーフミラー駆動機構５０を制御してハーフミラー４０を観察光路から退避させる。【選択図】図２
2009297073.tif 000002
【特許請求の範囲】
【請求項１】
光源から出力された照明光を患者眼に照射するための照明光学系と、
対物レンズ、変倍レンズ及び接眼レンズを含み、前記患者眼による前記照明光の反射光を前記対物レンズ及び前記変倍レンズを介して前記接眼レンズに導く観察光学系と、
前記光源からの前記照明光の一部を前記観察光学系の光路と略同軸にかつ前記患者眼に向かう方向に反射させ、かつ前記反射光の一部を透過させて前記観察光学系に導光させる光路合成手段と、
前記光路合成手段を移動させる駆動機構と、
所定の要求を受けたときに、前記駆動機構を制御して前記光路合成手段を前記観察光学系の光路から退避させる制御手段と、
を備えることを特徴とする手術用顕微鏡。
【請求項２】
前記制御手段は、前記所定の要求としての所定の操作が為されたときに電気信号を出力する操作手段を含み、前記電気信号が出力されたことに対応して前記駆動機構を制御して前記光路合成手段を退避させる、
ことを特徴とする請求項１に記載の手術用顕微鏡。
【請求項３】
前記光路合成手段は、前記制御手段により退避される前に、前記患者眼と前記対物レンズとの間に配置される、
ことを特徴とする請求項１又は請求項２に記載の手術用顕微鏡。
【請求項４】
前記光路合成手段は、前記制御手段により退避される前に、前記対物レンズと前記変倍レンズとの間に配置される、
ことを特徴とする請求項１又は請求項２に記載の手術用顕微鏡。
【請求項５】
前記照明光学系は、他の光源から出力された他の照明光を前記観察光学系の光軸に対して所定角度を成す方向から前記患者眼に照射させるための光学系を含み、
前記所定の要求は、前記他の照明光を前記患者眼に照射させるための照射要求である、
ことを特徴とする請求項１〜請求項４のいずれか一項に記載の手術用顕微鏡。
【請求項６】
前記照射要求は、前記患者眼に対する前記照明光の照射停止要求である、
ことを特徴とする請求項５に記載の手術用顕微鏡。
【請求項７】
前記照射要求は、前記患者眼に対する前記他の照明光の照射開始要求である、
ことを特徴とする請求項５に記載の手術用顕微鏡。
【請求項８】
前記光学系は、前記観察光学系の光路から退避された位置に配置され、かつ前記他の光源からの前記他の照明光を前記所定角度を成す方向から前記患者眼に照射させるように偏向する偏向ミラーを含む、
ことを特徴とする請求項５〜請求項７のいずれか一項に記載の手術用顕微鏡。
【請求項９】
前記光学系は、前記他の光源からの前記他の照明光を導光し、かつ前記導光された前記他の照明光を前記患者眼に挿入された先端から出射して前記後眼部に照射するファイバオプティクスを含む、
ことを特徴とする請求項５〜請求項７のいずれか一項に記載の手術用顕微鏡。
【請求項１０】
前記患者眼と前記対物レンズとの間の使用位置に配置され、前記光源からの前記照明光を集束させて前記患者眼の後眼部に導く前置レンズと、
前記使用位置と所定の退避位置とに択一的に配置可能に前記前置レンズを保持する保持機構と、
を更に備え、
前記制御手段は、前記保持機構により前記前置レンズが前記使用位置に配置されることを前記所定の要求として検出して電気信号を出力する検出手段を含み、前記電気信号が出力されたことに対応して前記駆動機構を制御して前記光路合成手段を退避させる、
ことを特徴とする請求項１〜請求項４のいずれか一項に記載の手術用顕微鏡。
【発明の詳細な説明】
【技術分野】
【０００１】
この発明は、眼科手術において使用される手術用顕微鏡に関する。
【背景技術】
【０００２】
眼科分野においては様々な手術が実施される。その代表例として白内障手術や網膜硝子体手術などがある。
【０００３】
白内障は、水晶体が混濁して視力が低下する疾患である。水晶体は、実質と、それを覆う透明な薄膜（嚢）とにより形成されている。白内障により混濁するのは主として実質である。白内障手術は、混濁した実質を取り除き、その代わりに人工のレンズ（ｉｎｔｒａｏｃｕｌａｒ  ｌｅｎｓ：ＩＯＬ）を挿入するものである。
【０００４】
白内障手術の手順は一般に次のようなものである：（１）嚢の前面に円形の孔を開ける；（２）この孔を介して超音波乳化吸引装置の先端を嚢内に挿入し、実質を乳化して吸引する；（３）袋状になった嚢内に残留する皮質を除去する；（４）空洞になった嚢内にＩＯＬを挿入し、所定位置に配置させる。
【０００５】
このような手順のうち特に（１）の作業においては、照明光を眼底に反射させて得られる赤色反射（レッドレフレクス）をあたかもバックライトのように用いることにより、嚢の切開部位のコントラストを高めて観察を行うのが一般的である。
【０００６】
良好なレッドレフレクスを得るためには、照明光の眼底反射光を観察光学系に入射させる必要がある。それには、照明光学系の光軸（照明光軸）と観察光学系の光軸（観察光軸）とを近接させる必要がある。これを達成するために、従来から様々な工夫がなされてきている。
【０００７】
たとえば特許文献１には、照明光を反射するハーフミラーを観察光学系の光路上に配置することにより、観察光軸とほぼ同軸に又は完全に同軸に患者眼を照明する構成が開示されている。なお、特許文献１の構成では、対物レンズと患者眼との間にハーフミラーが配置されているが、たとえば対物レンズと変倍レンズ系との間などにハーフミラーを配置した構成も実用化されている。
【０００８】
網膜硝子体手術においては、顕微鏡の外部の照明を用いる場合と、顕微鏡に搭載された照明（照明光学系）を用いる場合とがある。
【０００９】
外部照明としては、ファイバオプティクス（ｆｉｂｅｒ  ｏｐｔｉｃｓ）を用いる手法が一般的である（たとえば特許文献２を参照）。これは、ファイバオプティクスの先端を眼内に挿入し、これを介して専用の光源からの照明光を眼内に導くものである。この手法では、細い光ファイバが使用されるため、前眼部を照明する白内障手術等と比較して観察像がかなり暗くなってしまう。
【００１０】
また、近年では、眼内観察用のコンタクトレンズを角膜上に配置させてより広い観察野を確保した状態で網膜硝子体手術を行うことも増えている（たとえば特許文献２を参照）。この場合、より広い範囲を照明可能なファイバオプティクスが用いられることも多く、その際には、より明るい照明光を出力可能な光源を使用して観察像の明るさの低下を抑制することもある。
【００１１】
また、近年、患者眼に接触配置されるコンタクトレンズの代わりに、患者眼から離れた位置にレンズを配置させて眼内を観察する手法が普及してきている（たとえば特許文献３を参照）。このようなレンズは前置レンズと呼ばれている。前置レンズを用いて眼内を観察する際には、顕微鏡に搭載された照明が使用される。
【００１２】
【特許文献１】特許第２９３８４８３号明細書
【特許文献２】特開２００３−１１１７８９号公報
【特許文献３】特開２００３−６２００３号公報
【発明の開示】
【発明が解決しようとする課題】
【００１３】
特許文献１の構成によれば、良好なレッドレフレクスを得られる反面、ハーフミラーの存在により観察像の明るさが低下するという欠点がある。これは前置レンズを用いる場合についても同様である。また、ファイバオプティクスを用いる場合においても、ハーフミラーにより観察像が一層暗くなってしまう。なお、上記のように照明光を明るくすることも考えられるが、患者眼への影響や患者に与える不快感を考慮すると明るさには限界がある。そのため、これは好適な解決策とは言い難い。
【００１４】
また、観察光学系の光路（観察光路）にハーフミラーを斜めに配置させた場合、非点収差等の影響により観察像の画質が劣化するという欠点もある。
【００１５】
この発明は、以上のような問題を解決するためになされたものであり、その目的は、良好なレッドレフレクスを得ることができ、更に、網膜硝子体手術において質の高い観察像を得ることが可能な手術用顕微鏡を提供することにある。
【課題を解決するための手段】
【００１６】
上記目的を達成するために、請求項１に記載の発明は、光源から出力された照明光を患者眼に照射するための照明光学系と、対物レンズ、変倍レンズ及び接眼レンズを含み、前記患者眼による前記照明光の反射光を前記対物レンズ及び前記変倍レンズを介して前記接眼レンズに導く観察光学系と、前記光源からの前記照明光の一部を前記観察光学系の光路と略同軸にかつ前記患者眼に向かう方向に反射させ、かつ前記反射光の一部を透過させて前記観察光学系に導光させる光路合成手段と、前記光路合成手段を移動させる駆動機構と、所定の要求を受けたときに、前記駆動機構を制御して前記光路合成手段を前記観察光学系の光路から退避させる制御手段と、を備えることを特徴とする手術用顕微鏡である。
【００１７】
また、請求項２に記載の発明は、請求項１に記載の手術用顕微鏡であって、前記制御手段は、前記所定の要求としての所定の操作が為されたときに電気信号を出力する操作手段を含み、前記電気信号が出力されたことに対応して前記駆動機構を制御して前記光路合成手段を退避させる、ことを特徴とする。
【００１８】
また、請求項３に記載の発明は、請求項１又は請求項２に記載の手術用顕微鏡であって、前記光路合成手段は、前記制御手段により退避される前に、前記患者眼と前記対物レンズとの間に配置される、ことを特徴とする。
【００１９】
また、請求項４に記載の発明は、請求項１又は請求項２に記載の手術用顕微鏡であって、前記光路合成手段は、前記制御手段により退避される前に、前記対物レンズと前記変倍レンズとの間に配置される、ことを特徴とする。
【００２０】
また、請求項５に記載の発明は、請求項１〜請求項４のいずれか一項に記載の手術用顕微鏡であって、前記照明光学系は、他の光源から出力された他の照明光を前記観察光学系の光軸に対して所定角度を成す方向から前記患者眼に照射させるための光学系を含み、前記所定の要求は、前記他の照明光を前記患者眼に照射させるための照射要求である、ことを特徴とする。
【００２１】
また、請求項６に記載の発明は、請求項５に記載の手術用顕微鏡であって、前記照射要求は、前記患者眼に対する前記照明光の照射停止要求である、ことを特徴とする。
【００２２】
また、請求項７に記載の発明は、請求項５に記載の手術用顕微鏡であって、前記照射要求は、前記患者眼に対する前記他の照明光の照射開始要求である、ことを特徴とする。
【００２３】
また、請求項８に記載の発明は、請求項５〜請求項７のいずれか一項に記載の手術用顕微鏡であって、前記光学系は、前記観察光学系の光路から退避された位置に配置され、かつ前記他の光源からの前記他の照明光を前記所定角度を成す方向から前記患者眼に照射させるように偏向する偏向ミラーを含む、ことを特徴とする。
【００２４】
また、請求項９に記載の発明は、請求項５〜請求項７のいずれか一項に記載の手術用顕微鏡であって、前記光学系は、前記他の光源からの前記他の照明光を導光し、かつ前記導光された前記他の照明光を前記患者眼に挿入された先端から出射して前記後眼部に照射するファイバオプティクスを含む、ことを特徴とする。
【００２５】
また、請求項１０に記載の発明は、請求項１〜請求項４のいずれか一項に記載の手術用顕微鏡であって、前記患者眼と前記対物レンズとの間の使用位置に配置され、前記光源からの前記照明光を集束させて前記患者眼の後眼部に導く前置レンズと、前記使用位置と所定の退避位置とに択一的に配置可能に前記前置レンズを保持する保持機構と、を更に備え、前記制御手段は、前記保持機構により前記前置レンズが前記使用位置に配置されることを前記所定の要求として検出して電気信号を出力する検出手段を含み、前記電気信号が出力されたことに対応して前記駆動機構を制御して前記光路合成手段を退避させる、ことを特徴とする。
【発明の効果】
【００２６】
この発明に係る手術用顕微鏡の光路合成手段は、照明光の一部を観察光学系と略同軸にかつ患者眼に向かう方向に反射させ、更に、この照明光の反射光の一部を透過させて観察光学系に導光させるものである。このビームスプリッタは駆動機構により移動される。制御手段は、患者眼の後眼部を観察するための所定の要求を受けたときに、駆動機構を制御して光路合成手段を観察光学系の光路から退避させる。
【００２７】
このような手術用顕微鏡によれば、照明光の一部を観察光学系と略同軸にかつ患者眼に向かう方向に反射させる光路合成手段を用いることにより、良好なレッドレフレクスをえることができる。
【００２８】
更に、この手術用顕微鏡によれば、光路合成手段を観察光学系の光路から退避させた状態で、後眼部の質の高い観察像、つまり明るく収差の少ない観察像を得ることができる。したがって、網膜硝子体手術において質の高い観察像を得ることが可能である。
【発明を実施するための最良の形態】
【００２９】
この発明に係る手術用顕微鏡の実施形態の一例を説明する。以下の実施形態に係る手術用顕微鏡は眼科手術において使用される。特に、以下の手術用顕微鏡は、レッドレフレクスを利用する前眼部の手術（白内障手術等）と、網膜硝子体手術等の後眼部の手術の双方に使用可能である。なお、以下の説明における網膜硝子体手術には、網膜や硝子体だけでなく、脈絡膜や強膜の手術、更には視神経等の組織に関する手術も含まれるものとする（これらをまとめて「後眼部」と呼ぶことがある）。
【００３０】
〈第１の実施形態〉
［外観構成］
第１の実施形態に係る手術用顕微鏡１の外観構成について、図１を参照しつつ説明する。手術用顕微鏡１は、従来と同様に、支柱２、第１アーム３、第２アーム４、駆動装置５、顕微鏡６及びフットスイッチ８とを含んで構成される。
【００３１】
このような構成により、顕微鏡６は３次元的に移動可能に支持されている。駆動装置５は、モータ等のアクチュエータを含んで構成される。駆動装置５は、フットスイッチ８を用いた操作に応じて顕微鏡６を上下方向や水平方向に移動させる。
【００３２】
顕微鏡６の鏡筒部１０には、各種光学系や駆動系などが収納されている。鏡筒部１０の上部にはインバータ部１２が設けられている。インバータ部１２は、患者眼Ｅの観察像が倒像として得られる場合に、この観察像を正立像に変換する。インバータ部１２の上部には、左右一対の接眼部１１Ｌ、１１Ｒが設けられている。観察者（術者等）は、左右の接眼部１１Ｌ、１１Ｒを覗き込むことにより、患者眼Ｅを双眼視することができる。
【００３３】
［光学系の構成］
次に、図２及び図３を参照しつつ、手術用顕微鏡１の光学系の構成を説明する。図２は光学系の側面図である。図３は光学系の一部を下方から見た図である。
【００３４】
手術用顕微鏡１の光学系は、照明光学系２０と観察光学系３０を含んで構成される。照明光学系２０は、患者眼Ｅに照明光を照射するための光学系である。観察光学系３０は、この照明光の患者眼Ｅによる反射光を観察者眼Ｐに導く光学系である。それにより、観察者は、患者眼Ｅの拡大像を観察することができる。以下、各光学系２０、３０について説明する。
【００３５】
〔照明光学系〕
照明光学系２０には、第１照明光学系２０Ａと第２照明光学系２０Ｂが設けられている。第１照明光学系２０Ａはレッドレフレクスを利用した観察において使用される。第２照明光学系２０Ｂは後眼部を観察するときに使用される。
【００３６】
（第１照明光学系）
第１照明光学系２０Ａのハロゲンランプ２１は照明光を出力する。この照明光を第１照明光と呼ぶ。ハロゲンランプ２１は、この発明の「光源」の一例である。ハロゲンランプ２１から出力された第１照明光は、ライトガイド２２により導光される。更に、この第１照明光は、コンデンサレンズ２３により平行光束とされ、投影レンズ２４により集束光とされる。
【００３７】
第１照明光学系２０Ａの光路上にはハーフミラー４０が配置されている。ハーフミラー４０は、対物レンズ３１と患者眼Ｅとの間に配置される。ハーフミラー４０は、第１照明光学系２０Ａの光軸（第１照明光軸）２０ａと、観察光学系３０の光軸（観察光軸）３０とを互いに交差させるような位置に配置されている。なお、ハーフミラー４０は両側矢印Ａに示すように移動されるが、その詳細については後述する。ハーフミラー４０は、この発明の「光路合成手段」の一例である。
【００３８】
投影レンズ２４を経由した第１照明光の一部は、ハーフミラー４０により反射されて観察光軸３０ａに沿って患者眼Ｅに入射する。すなわち、第１照明光学系２０Ａによる患者眼Ｅの照明態様は、照明光軸と観察光軸とが一致されたもの、いわゆる完全同軸照明である。このような照明態様は、前述のように、良好なレッドレフレクスを得るために用いられる。
【００３９】
（第２照明光学系）
第２照明光学系２０Ｂのハロゲンランプ２５は照明光を出力する。この照明光を第２照明光と呼ぶ。ハロゲンランプ２５は、この発明の「他の光源」の一例である。ハロゲンランプ２５から出力された第２照明光は、ライトガイド２６により導光される。更に、この第２照明光は、コンデンサレンズ２７により平行光束とされ、投影レンズ２８により集束光とされる。
【００４０】
投影レンズ２８の先には偏向ミラー２９が設けられている。偏向ミラー２９は、たとえば全反射ミラーにより構成される。偏向ミラー２９は、対物レンズ３１よりも後方、すなわち、対物レンズ３１に対して患者眼Ｅとは反対側の位置に配置される。偏向ミラー２９は、観察光学系３０の光路（観察光路）から退避された位置に配置されている。なお、双眼観察に支障を与えない程度において、偏向ミラー２９と観察光路とが交差していてもよい（この場合も含めて「観察光路から退避された位置」とする）。
【００４１】
偏向ミラー２９と観察光路との位置関係の一例を図３に示す。前述のように、観察光学系３０は双眼観察可能なものである。そのために、対物レンズ３１よりも後の光学部材は、それぞれ左右一対設けられている。すなわち、観察光学系３０には、照明光の患者眼Ｅによる反射光を観察者の左眼に導く光学系（左観察光学系）と右眼に導く光学系（右観察光学系）とが設けられている（これは従来と同様である）。図３に示す偏向ミラー２９は、左右の観察光学系の入射瞳３０Ｌ、３０Ｒのそれぞれの周端部を僅かに覆うような位置に配置されている。
【００４２】
なお、図２は、観察者の右眼側から左眼側を見た図である。よって、図２においては、左右の観察光学系は紙面を貫く方向に重なって配置されている。左右の観察光学系は、同様の構成（後述）を有している。また、図３において、符号３０ａＬは左観察光学系の光軸を表し、符号３０ａＲは右観察光学系の光軸を表す。
【００４３】
さて、投影レンズ２８を経由した第２照明光は、偏向ミラー２９により患者眼Ｅに向かう方向に反射される。偏向ミラー２９により反射された第２照明光は、対物レンズ３１により進行方向が変更される。対物レンズ３１を経由した第２照明光は、観察光軸３０ａに対して所定角度（傾斜角度）を成す方向から患者眼Ｅに入射する。この入射角度は、０度以外の角度であり、たとえば数度〜６度程度の角度に設定される。すなわち、第２照明光学系２０Ｂによる患者眼Ｅの照明態様は、観察光軸に対して照明光軸を傾斜させたもの、いわゆる角度付照明（斜め照明）である。このような照明態様は、網膜や硝子体等の後眼部の観察に好適である。
【００４４】
なお、観察光軸３０ａに対する第２照明光の角度（傾斜角度）を変更できるように構成することも可能である。たとえば、ライトガイド２６の出射端と偏向ミラー２９との間に、第２照明光の断面の一部のみを透過させるスリット板を設け、偏向ミラー２９の反射面の異なる領域（観察光軸３０ａに近い領域、観察光軸３０ａから遠い領域など）に第２照明光を選択的に照射させることにより、傾斜角度を変更可能にできる。傾斜角度の変更可能範囲は、たとえば数度〜６度程度の範囲とされる。
【００４５】
（観察光学系）
観察光学系３０について説明する。観察光学系３０は、従来と同様に、対物レンズ３１、変倍レンズ（系）３２、結像レンズ３３、像正立プリズム３４、視野絞り３５及び接眼レンズ（系）３６を含んで構成される。変倍レンズ３２、結像レンズ３３、像正立プリズム３４、視野絞り３５及び接眼レンズ３６は、それぞれ左右一対設けられている。
【００４６】
対物レンズ３１、変倍レンズ３２及び結像レンズ３３は、鏡筒部１０に格納されている。像正立プリズム３４はインバータ部１２に格納されている。接眼レンズ３６は接眼部１１Ｌ、１１Ｒに格納されている。
【００４７】
変倍レンズ３２を構成する各レンズは、観察光軸３０ａ方向に移動可能とされている。それにより、変倍レンズ３２は、患者眼Ｅの観察像の拡大倍率を変更する。像正立プリズム３４は、観察像が倒像である場合、すなわち、照明光の患者眼Ｅによる反射光の結像回数が奇数回である場合に観察光路に挿入され、この観察像を正立像に変換する。結像回数が偶数回の場合、像正立プリズム３４は観察光路から退避される（代わりに偏向プリズム等を配置させてもよい）。視野絞り３５は、観察者眼Ｐによる患者眼Ｅの観察視野を制限する。
【００４８】
［制御系の構成］
手術用顕微鏡１の制御系の構成について、図４を参照しつつ説明する。制御系は制御部６０を中心に構成される。
【００４９】
制御部６０は、マイクロプロセッサや記憶装置（ＲＡＭ、ＲＯＭ、ハードディスクドライブ等）を含んで構成される。この記憶装置には、手術用顕微鏡１を制御するためのコンピュータプログラムが予め記憶されている。また、制御部６０には、各部に電力を供給する電源装置が含まれる。マイクロプロセッサは、このコンピュータプログラムに基づいて手術用顕微鏡１を動作させる。また、制御部６０は、フットスイッチ８等の操作部８０に対する操作に応じて手術用顕微鏡１を制御する。
【００５０】
制御部６０は手術用顕微鏡１の各部の動作を制御する。たとえば、制御部６０は、各ハロゲンランプ２１、２５の点灯／消灯の動作、観察倍率の変更動作、顕微鏡６の移動動作、ハーフミラー４０の移動動作などを制御する。制御部６０は、その他の各種制御も行う（たとえば像正立プリズム３４の移動制御）。
【００５１】
ハロゲンランプ２１、２５は、それぞれ独立に制御される。制御部６０は、各ハロゲンランプ２１、２５に対する電力供給を開始することでこれを点灯させ、電力供給を停止することでこれを消灯させる。
【００５２】
観察倍率は、前述のように変倍レンズ３２により変更される。変倍レンズ３２を構成する各レンズは、変倍機構７０によって観察光軸３０ａに沿う方向に移動される。変倍機構７０は、従来と同様に、アクチュエータと伝達機構を含んで構成される。アクチュエータは、モータやソレノイド等により構成される。伝達機構は、ギア等を含んで構成され、アクチュエータが発生した駆動力を各レンズに伝達する。制御部６０は、このアクチュエータの動作を制御して各レンズを移動させることにより観察倍率を変更する。なお、観察倍率の変更は、一般に、操作部８０に対する操作に応じて実行される。
【００５３】
ハーフミラー駆動機構５０は、制御部６０による制御を受けてハーフミラー４０を移動する。ハーフミラー駆動機構５０は、たとえば前述の特許文献１と同様の機構（ガイドレール等）を含む。更に、ハーフミラー駆動機構５０は、ソレノイドやモータ等のアクチュエータを備えている。制御部６０は、このアクチュエータの動作を制御してハーフミラー４０を移動させる。
【００５４】
前述のように、ハーフミラー４０は、図２の両側矢印Ａに示すように移動される。すなわち、ハーフミラー４０の位置は、図２に実線で示す使用位置と、二点鎖線で示す退避位置とに切り替えられる。使用位置に配置されている場合、ハーフミラー４０は、第１照明光の一部を反射して観察光軸３０ａと同軸に患者眼Ｅに入射させる。一方、退避位置は、第２照明光路や観察光路から離れた位置に設定されている。
【００５５】
［動作及び効果］
以上のような構成を有する手術用顕微鏡１の動作及び効果について説明する。
【００５６】
レッドレフレクスを利用する場合、操作部８０を用いて所定の操作が為されると、制御部６０は、ハーフミラー駆動機構５０を制御してハーフミラー４０を使用位置（図２に実線で示す位置）に配置させる。なお、ハーフミラー４０が既に使用位置に配置されている場合には特に何もしなくてよい。
【００５７】
続いて、制御部６０は、第１照明光学系２０Ａのハロゲンランプ２１を点灯させて第１照明光を出力させる。第１照明光は、観察光軸３０ａと同軸で患者眼Ｅに入射する。観察光軸３０ａと同軸であるので、第１照明光の眼底反射光（赤みを帯びた光である）は、観察光学系３０の光路に入射して接眼レンズ３６に導かれる。それにより、明るいレッドレフレクスが得られる。
【００５８】
なお、このような完全同軸照明では、観察像の陰影が薄くなり立体感が得られないおそれがある。よって、観察光軸３０ａに対して第１照明光を僅かに傾斜させるようにハーフミラー４０を配置させ（１度〜数度程度）、立体感のある観察像を得られるようにしてもよい。この発明にいう「略同軸」は、完全同軸照明のみならず、良好なレッドレフレクスが得られる範囲における傾斜を許容するものとする。
【００５９】
さて、従来の手術用顕微鏡では、第２照明光を使用する場合（後眼部を観察する場合など）においても、第１照明光を反射するハーフミラーが観察光路上に配置されていたため、観察像の質が劣化していた。また、特許文献１のようにハーフミラーを移動可能に構成した場合であっても、ハーフミラーを観察光路から退避させるための操作を行わなければならなかった。
【００６０】
この実施形態に係る手術用顕微鏡１においては、次のような動作を行うことにより、観察像の質の劣化を防止できるとともに、煩わしい操作を不要にできる。なお、後眼部を観察する際には、従来と同様に、患者眼Ｅの角膜上にコンタクトレンズが配置される。
【００６１】
まず、オペレータは、操作部８０を用いて、第２照明光を患者眼Ｅに照射させるための所定の操作（照射要求）を行う。この照射要求の例として次のようなものがある。
【００６２】
第１の例は、患者眼Ｅに対する第１照明光の照射停止を要求する操作（照射停止要求）である。この操作は、たとえばフットスイッチ８を操作することにより行われる。この操作が為されると、制御部６０は、ハロゲンランプ２１を消灯させて第１照明光の出力を停止させ、更に、ハーフミラー駆動機構５０を制御してハーフミラー４０を退避位置（図２に二点鎖線で示す位置）に移動させる。その後、制御部６０は、第２照明光学系２０Ｂのハロゲンランプ２５を制御して第２照明光を出力させる。
【００６３】
このような制御を行うことにより、ハーフミラー４０を観察光路から退避させた状態で、網膜や硝子体の質の高い観察像、つまり明るく収差の少ない観察像を得ることが可能になる。また、照明光の切り替えに対応して自動的にハーフミラー４０が退避されるので、ハーフミラー４０を移動させるための煩わしい操作を行う必要がない。
【００６４】
第２の例は、患者眼Ｅに対する第２照明光の照射開始を要求する操作（照射開始要求）である。この操作は、たとえばフットスイッチ８を操作することにより行われる。なお、第１照明光から第２照明光に切り替える場合については、操作するスイッチが異なる他は第１の例と同様である。よって、ここでは、最初から第２照明光を用いて観察を行う場合について説明する。
【００６５】
照射開始要求が為されると、制御部６０は、ハーフミラー駆動機構５０を制御してハーフミラー４０を退避位置に移動させる。なお、既にハーフミラー４０が退避位置に配置されている場合には当該移動制御は不要である。続いて、制御部６０は、第２照明光学系２０Ｂのハロゲンランプ２５を制御して第２照明光を出力させる。
【００６６】
このような制御を行うことにより、ハーフミラー４０を観察光路から退避させた状態で、網膜や硝子体の質の高い観察像を得ることができる。また、照明光の選択に対応して自動的にハーフミラー４０が退避されるので、ハーフミラー４０を移動させるための煩わしい操作を行う必要がない。
【００６７】
〈第２の実施形態〉
この発明に係る手術用顕微鏡の第２の実施形態について説明する。以下、第１の実施形態と同様の構成要素には同じ符号を付して説明する。
【００６８】
この実施形態に係る手術用顕微鏡は、第１の実施形態と同様の外観構成を有する（図１を参照）。また、この実施形態に係る手術用顕微鏡は、第１の実施形態と同様に構成された制御系を有する（図４を参照）。
【００６９】
この実施形態に係る手術用顕微鏡の光学系の構成例を図５に示す。手術用顕微鏡９０は、第１の形態とほぼ同様の第１照明光学系２０Ａと観察光学系３０を有する。
【００７０】
第１の実施形態の観察光学系３０は、対物レンズ３１の光軸と、その他の光学素子の光軸とが一致して配置されており、患者眼Ｅを垂直上方から観察するようになっている。一方、この実施形態の観察光学系３０は、対物レンズ３１の光軸と、その他の光学素子の光軸とが変位して配置されており、患者眼Ｅを斜め上方から観察するようになっている。
【００７１】
第１照明光学系２０Ａのハロゲンランプ２１により出力された第１照明光は、ライトガイド２２、コンデンサレンズ２３及び投影レンズ２４を経由してハーフミラー４１により患者眼Ｅに向かう方向に反射される。
【００７２】
ハーフミラー４１は、対物レンズ３１と変倍レンズ３２との間に配置される。ハーフミラー４１は、第１照明光軸２０ａと観察光軸３０ａとを合成するような観察光学系３０の光路上の位置（使用位置）に配置される。このように、この実施形態の第１照明光による照明態様は、第１の実施形態と同様の完全同軸照明である。なお、第１の実施形態と同様の「略同軸」の範囲内における傾斜を持たせた構成を採用することも可能である。ハーフミラー４１は、この発明の「光路合成手段」の一例である。
【００７３】
ハーフミラー４１は、第１の実施形態と同様に、ハーフミラー駆動機構によって移動される。特に、ハーフミラー４１は、観察光学系３０の光路上の使用位置と、当該光路から離れた退避位置との間を移動される（図５に示す両側矢印Ｂを参照）。
【００７４】
第１の実施形態の第２照明光学系２０Ｂの代わりに、手術用顕微鏡９０は、患者眼Ｅの後眼部を照明するためのファイバオプティクスを備えている。このファイバオプティクスは、光源９１と、光ファイバ９２と眼内プローブ９３とを含んで構成される。
【００７５】
光源９１は、たとえばハロゲンランプ等の発光装置を含んで構成される。光源９１により出力された第２照明光は光ファイバ９２を介して眼内プローブ９３に導かれる。眼内プローブ９３は、その先端が患者眼Ｅの眼内に挿入され、光ファイバ９２により導かれた第２照明光を当該先端から出射する。術者等は、眼内プローブ９３の位置や向きを調整することにより、患者眼Ｅの後眼部の所望の部位（術野など）に第２照明光を照射させる。患者眼Ｅによる第２照明光の反射光は、観察光学系３０を介して観察者眼Ｐに導かれる。
【００７６】
以上のような構成を有する手術用顕微鏡９０の動作及び効果について説明する。以下、図４に示した第１の実施形態の制御系の構成を参照する。
【００７７】
レッドレフレクスを利用する場合、操作部８０を用いて所定の操作が為されると、制御部６０は、ハーフミラー駆動機構５０を制御してハーフミラー４１を使用位置（図５に実線で示す位置）に配置させる。なお、ハーフミラー４１が既に使用位置に配置されている場合には特に何もしなくてよい。
【００７８】
続いて、制御部６０は、第１照明光学系２０Ａのハロゲンランプ２１を点灯させて第１照明光を出力させる。第１照明光は、観察光軸３０ａと同軸で患者眼Ｅに入射する。第１照明光の眼底反射光は、観察光学系３０の光路に入射して接眼レンズ３６に導かれる。それにより、明るいレッドレフレクスが得られる。
【００７９】
患者眼Ｅの後眼部を観察する場合、まず、オペレータは、第２照明光を患者眼Ｅに照射させるための所定の操作（照射要求）を行う。この照射要求としては、たとえば次のようなものがある。なお、後眼部を観察する際には、従来と同様に、患者眼Ｅの角膜上にコンタクトレンズが配置される。
【００８０】
照射要求の第１の例は、患者眼Ｅに対する第１照明光の照射停止を要求する操作（照射停止要求）である。この操作は、たとえばフットスイッチ８を操作することにより行われる。この操作が為されると、制御部６０は、ハロゲンランプ２１を消灯させて第１照明光の出力を停止させ、更に、ハーフミラー駆動機構５０を制御してハーフミラー４１を退避位置（図５に二点鎖線で示す位置）に移動させる。その後、制御部６０は、光源９１を制御して第２照明光を出力させる。なお、光源９１が制御部６０の制御下にない場合には、光源９１に設けられたスイッチ（図示せず）を操作して光源９１に電源を投入して第２照明光を出力させる。
【００８１】
このような制御を行うことにより、ハーフミラー４１を観察光路から退避させた状態で、網膜や硝子体の質の高い観察像、つまり明るく収差の少ない観察像を得ることが可能になる。また、照明光の切り替えに対応して自動的にハーフミラー４１が退避されるので、ハーフミラー４１を移動させるための煩わしい操作を行う必要がない。
【００８２】
照射要求の第２の例は、患者眼Ｅに対する第２照明光の照射開始を要求する操作（照射開始要求）である。この操作は、たとえばフットスイッチ８を操作することにより行われる。なお、第１照明光から第２照明光に切り替える場合については、操作するスイッチが異なる他は第１の例と同様である。
【００８３】
一方、最初から第２照明光を用いて観察を行う場合、オペレータにより照射開始要求が為されると、制御部６０は、ハーフミラー駆動機構５０を制御してハーフミラー４１を退避位置に移動させる。なお、既にハーフミラー４１が退避位置に配置されている場合には当該移動制御は不要である。続いて、制御部６０は、光源９１を制御して第２照明光を出力させる。光源９１が制御部６０の制御下にない場合については第１の例と同様である。
【００８４】
このような制御を行うことにより、ハーフミラー４１を観察光路から退避させた状態で、網膜や硝子体の質の高い観察像を得ることができる。また、照明光の選択に対応して自動的にハーフミラー４１が退避されるので、ハーフミラー４１を移動させるための煩わしい操作を行う必要がない。
【００８５】
〈第３の実施形態〉
この発明に係る手術用顕微鏡の第２の実施形態について説明する。この実施形態に係る手術用顕微鏡は、前述の特許文献３に開示されたものと同様に、患者眼Ｅの角膜に非接触に配置されるレンズ（前置レンズ）を用いて後眼部観察を行える装置である。
【００８６】
この実施形態に係る手術用顕微鏡の外観構成を図６及び図７を参照しつつ説明する。手術用顕微鏡１００は、第１の実施形態と同様に、支柱２、第１アーム３、第２アーム４、駆動装置５及びフットスイッチ８を備えている（図１を参照）。駆動装置５には、術者用顕微鏡１０６が懸架されている。術者用顕微鏡１０６には助手用顕微鏡１０７が取り付けられている（図９を参照）。
【００８７】
術者用顕微鏡１０６の外観を図６に示す。術者用顕微鏡１０６の鏡筒部１１０には、各種光学系や駆動系などが収納されている。鏡筒部１１０の上部にはインバータ部１１２が設けられている。インバータ部１１２は、倒像として得られる観察像を正立像に変換する。インバータ部１１２の上部には、左右一対の接眼部１１１が設けられている。
【００８８】
また、術者用顕微鏡１０６には、前置レンズ１１３が保持アーム１１４を介して接続されている。前置レンズ１１３は、対物レンズ１１５の光軸上の位置に挿脱可能に構成されている。特に、患者眼Ｅを観察しているときには、前置レンズ１１３は、対物レンズ１１５の前側焦点位置と患者眼Ｅとの間の位置（「使用位置」と呼ぶ。）に配置可能である。前置レンズ１１３は、照明光を集束させて患者眼Ｅの眼内（網膜や硝子体等の後眼部）を照明する。なお、対物レンズ１１５は、鏡筒部１１０の下端に設けられている。
【００８９】
前置レンズ１１３としては、異なる屈折力（たとえば４０Ｄ、８０Ｄ、１２０Ｄ等）を有する複数個のレンズが用意されており、これらが択一的に使用される。
【００９０】
前置レンズ１１３は、その周囲を取り囲むように形成された保持板１４１ａにより保持される。保持板１４１ａは、枢軸１４１ｂを介してアーム部１４１に接続され、枢軸１４１ｂを中心に回動可能とされている。保持板１４１ａには傾斜部１４１ｃが形成されている。
【００９１】
アーム部１４１の上端部分には、コイルスプリング１５４ａが巻回されている。アーム部１４１の上端は、枢軸１７４ａにより収納部１７４の一端に枢設されている。アーム部１４１には、術者側から見て左右方向に延びる前置レンズ操作ノブが設けられている（図示せず）。術者は、この前置レンズ操作ノブを把持し、保持アーム１１４を枢軸１７４ａを中心に旋回させることにより、前置レンズ１１３を前述の使用位置と後述の収納位置（退避位置）とにそれぞれ配置させることができる。
【００９２】
術者用顕微鏡１０６の本体部１０６ａには、駆動部１７５が設けられている。駆動部１７５には、支持部材１７６を介して昇降アーム１７１が接続されている。昇降アーム１７１の上端にはフリンジ部１７１ａが形成され、昇降アーム１７１が支持部材１７６から落下するのを防止している。駆動部１７５は、支持部材１７６とともに昇降アーム１７１を上下方向に移動させる。昇降アーム１７１が移動されると、前置レンズ１１３も一体的に移動される。
【００９３】
昇降アーム１７１の下端には接続部１７１ｂが設けられている。接続部１７１ｂには、上昇規制部材１７２が接続されている。上昇規制部材１７２は、昇降アーム１７１が所定位置まで上昇されたときに、本体部１０６ａ側の上昇規制部材１７７に当接する。このように、上昇規制部材１７２、１７７は、昇降アーム１７１が所定位置より上方に移動しないように作用する。
【００９４】
接続部１７１ｂには、連結ノブ１７３が設けられている。連結ノブ１７３は、回転ネジを有している（図示せず）。連結ノブ１７３を所定方向に回転させると、回転ネジの先端が連結穴１７７ａに嵌入される。それにより、前置レンズ１１３、保持アーム１１４、収納部１７４等が本体部１０６ａに連結される。この連結状態では、前置レンズ１１３等の移動が禁止される。
【００９５】
上昇規制部材１７２には、収納部１７４が接続されている。収納部１７４は、保持アーム１１４（及び前置レンズ１１３）を収納する。図７は、保持アーム１１４が収納された状態を表している。収納部１７４の下面には、収納部１７４の長手方向に沿って凹状の収納部が形成されている。保持アーム１１４は、枢軸１７４ａを中心に旋回されることにより、この収納部１７４内に収納される。
【００９６】
保持アーム１１４が収納された状態では、図７に示すように、前置レンズ１１３のレンズ面が上下方向を向いた状態となる。これは、保持板１４１ａの傾斜部１４１ｃと、収納部１７４の端部に取り付けられた接触部材１７４ｂとの作用によるものである。すなわち、枢軸１７４ａを中心にアーム部１４１が上方に旋回されると、傾斜部１４１ｃが接触部材１７４ｂに接触し、傾斜部１４１ｃに案内されて保持板１４１ａが枢軸１４１ｂを中心に回転する。それにより、前置レンズ１１３は、図７に示すような状態で当該収納位置に配置される。
【００９７】
図６に示す前置レンズ１１３は、患者眼Ｅと対物レンズ１１５との間の使用位置に挿入された状態を示している。この状態から前置レンズ１１３を収納する場合、術者は、前述の前置レンズ操作ノブを把持して保持アーム１１４を上方に旋回させることで、前置レンズ１１３と保持アーム１１４を収納部１７４に収納する。一方、収納部１７４に収納された前置レンズ１１３を使用状態にするには、逆の要領で保持アーム１１４を下方に旋回させる。
【００９８】
収納部１７４は、上昇規制部材１７２に対して着脱可能に形成されている。これは、前置レンズ１１３や保持アーム１１４を滅菌する際に術者用顕微鏡１０６から取り外すためである。収納部１７４から前置レンズ１１３までは一体的に構成されている。前置レンズ１１３等を取り外した状態では、手術用顕微鏡１００は、前置レンズ１１３を具備しない手術用顕微鏡として使用できる。なお、前置レンズ１１３を保持する上記の機構は、この発明の「保持機構」の一例である。
【００９９】
収納部１７４の内部にはタッチセンサ１８０が設けられている。タッチセンサ１８０は、収納位置に配置された状態の保持アーム１１４（又は前置レンズ１１３）が接触する位置に配設されている。タッチセンサ１８０は、この発明の「検出手段」の一例である。
【０１００】
なお、検出手段は、このようなタッチセンサに限定されるものではない。たとえば、枢軸１７４ａの回転位置を検出するロータリーエンコーダを検出手段として用いることができる。検出手段は、前置レンズ１１３が使用位置に配置されることを検出して電気信号を出力するように構成されたデバイスであればよい。
【０１０１】
次に、手術用顕微鏡１００の光学系の構成について図８及び図９を参照して説明する。図８は助手用顕微鏡１０７側から見た図であり、図９は術者側から見た図である。なお、図９においては、図８に示すハーフミラー１６５は省略されている。この実施形態において、上下、左右、前後等の方向は、特に言及しない限り術者側から見た場合の方向とする。
【０１０２】
観察光学系１３０は、図９に示すように左右一対設けられている。左側の観察光学系１３０Ｌを左観察光学系と呼び、右側の観察光学系１３０Ｒを右観察光学系と呼ぶ。符号ＯＬは左観察光学系１３０Ｌの観察光軸を示し、符号ＯＲは右観察光学系１３０Ｒの観察光軸を示す。左右の観察光学系１３０Ｌ、１３０Ｒは、対物レンズ１１５の光軸Ｏを挟むようにして形成されている。
【０１０３】
左右の観察光学系１３０Ｌ、１３０Ｒは、それぞれ、変倍レンズ（系）１３１、ビームスプリッタ１３２（右観察光学系１３０Ｒのみ）、結像レンズ１３３、像正立プリズム１３４、眼幅調整プリズム１３５、視野絞り１３６及び接眼レンズ１３７を有する。変倍レンズ系１３１は複数の変倍レンズ１３１ａ、１３１ｂ、１３１ｃを含んでいる。
【０１０４】
右観察光学系１３０Ｒのビームスプリッタ１３２は、患者眼Ｅから観察光軸ＯＲに沿って導光された観察光の一部を分離してＴＶカメラ撮像系に導く。このＴＶカメラ撮像系は、結像レンズ１５４、反射ミラー１５５及びＴＶカメラ１５６を含んで構成される。
【０１０５】
ＴＶカメラ１５６は撮像素子１５６ａを備えている。撮像素子１５６ａは、たとえば、ＣＣＤ（Ｃｈａｒｇｅ  Ｃｏｕｐｌｅｄ  Ｄｅｖｉｃｅｓ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等によって構成される。撮像素子１５６ａとしては、たとえば２次元の受光面を有するものが用いられる。
【０１０６】
手術用顕微鏡１００の使用時には、撮像素子１５６ａの受光面は、たとえば、角膜Ｅｃの表面と光学的に共役な位置、又は、角膜曲率半径の１／２だけ角膜頂点から深さ方向に離れた位置と光学的に共役な位置に配置される。
【０１０７】
助手用顕微鏡１０７は、術者を補助する助手が用いる顕微鏡である。助手用顕微鏡１０７は、対物レンズ１１５を経由する左右の観察光路を形成する光学系を備える。この光学系は、図９に示すように、プリズム１５０、結像レンズ１５１、反射ミラー１５２及び接眼レンズ１５３を含んで構成される。
【０１０８】
プリズム１５０は、対物レンズ１１５の周端の近傍に設けられている。患者眼Ｅからの観察光は、対物レンズ１１５を経由してプリズム１５０に入射し、反射面１５０ａにて反射される。そして、この観察光は、結像レンズ１５１により集光され、反射ミラー１５２により反射されて接眼レンズ１５３に導かれる。助手用顕微鏡１０７の光学系の入射瞳は、プリズム１５０の反射面１５０ａとなっている。
【０１０９】
なお、図示は省略するが、助手用顕微鏡１０７に専用の変倍レンズ系を設けてもよい。その場合、助手側のズーム倍率を術者側のズーム倍率（変倍レンズ系１３１によるズーム倍率）に連動させることが望ましい。
【０１１０】
次に、照明光学系について説明する。手術用顕微鏡１００は、２つの照明光学系１２０、１６０を備えている。照明光学系１２０は、特に患者眼Ｅの後眼部を観察する際に使用され、第１の実施形態の「第２照明光」を患者眼Ｅに照射する。照明光学系１６０は、レッドレフレクスを用いた観察において使用され、第１の実施形態の「第１照明光」を患者眼Ｅに照射する。
【０１１１】
照明光学系１２０は、図８に示すように、照明光源１２１、光ファイバ１２１ａ、出射口絞り１２６、コンデンサレンズ１２２、照明野絞り１２３、コリメータレンズ１２７及び照明プリズム１２５を含んで構成される。符号Ｏ′は、照明光学系１２０の光軸を表す。
【０１１２】
照明野絞り１２３は、対物レンズ１１５の前側焦点位置Ｆと光学的に共役な位置に設けられている。患者眼Ｅを観察するときには、対物レンズ１５の前側焦点位置Ｆが眼底Ｅｒに共役になるように、鏡筒部１１０の上下位置が調整される。
【０１１３】
照明光源１２１は、たとえば、鏡筒部１１０の外部に設けられている。照明光源１２１には光ファイバ１２１ａの一端が接続されている。光ファイバ１２１ａの他端は、鏡筒部１１０内のコンデンサレンズ１２２に臨む位置に配置されている。照明光源１２１から出力された照明光は、光ファイバ１２１ａにより導光されてコンデンサレンズ１２２に入射する。
【０１１４】
光ファイバ１２１ａの出射口（コンデンサレンズ１２２側のファイバ端）に臨む位置には、出射口絞り１２６が設けられている。出射口絞り１２６は、光ファイバ１２１ａの出射口の一部領域を遮蔽するように作用する。出射口絞り１２６による遮蔽領域が変更されると、照明光の出射領域が変更される。それにより、照明光による照射角度、つまり患者眼Ｅに対する照明光の入射方向と対物レンズ１１５の光軸Ｏとが成す角度などを変更することができる。
【０１１５】
コリメータレンズ１２７は照明光を平行光束にする。平行光束になった照明光は、照明プリズム１２５の反射面１２５ａにて反射されて対物レンズ１１５に入射し、更に前置レンズ１１３を経由して患者眼Ｅに入射する。
【０１１６】
照明光学系２０の射出瞳は、照明プリズム１２５の反射面１２５ａに形成される。射出瞳１２５ａ（反射面１２５ａと同一視する。）は、観察光学系１３０Ｌ、１３０Ｒを挟んで術者の反対側の位置に形成される。また、射出瞳１２５ａの形状は、たとえば、左右の観察光軸ＯＬ、ＯＲを結ぶ方向を長手方向とする長方形状である。
【０１１７】
左観察光学系１３０Ｌの入射瞳ＰＬは、図９に示すように、対物レンズ１１５と左観察光学系１３０Ｌの変倍レンズ系１３１との間の位置に形成される。同様に、右観察光学系１３０Ｒの入射瞳ＰＲは、対物レンズ１１５と右観察光学系１３０Ｒの変倍レンズ系１３１との間の位置に形成される。左右の観察光学系１３０Ｌ、１３０Ｒの入射瞳ＰＬ、ＰＲは、観察光軸ＯＬ、ＯＲを中心に位置している。
【０１１８】
照明光学系１６０のハロゲンランプ１６１は照明光（第１照明光）を出力する。ハロゲンランプ１６１は、この発明の「光源」の一例である。ハロゲンランプ１６１から出力された照明光は、ライトガイド１６２により導光される。更に、この照明光は、コンデンサレンズ１６３により平行光束とされ、投影レンズ１６４により集束光とされる。
【０１１９】
照明光学系１６０の光路上にはハーフミラー１６５が配置されている。ハーフミラー１６５は、対物レンズ１１５と患者眼Ｅとの間に配置される。ハーフミラー１６５は、照明光学系１６０の光軸１６０ａと、観察光学系１３０の光軸（観察光軸）Ｏとを互いに交差させるような位置に配置されている。なお、ハーフミラー１６５は両側矢印Ｃに示すように移動される。ハーフミラー１６５は、この発明の「光路合成手段」の一例である。
【０１２０】
投影レンズ１６４を経由した照明光の一部は、ハーフミラー１６５により反射されて観察光軸Ｏに沿って患者眼Ｅに入射する。すなわち、照明光学系１６０による患者眼Ｅの照明態様は完全同軸照明である。このような照明態様は、前述のように、良好なレッドレフレクスを得るために用いられる。なお、第１の実施形態と同様に、略同軸な範囲の傾斜を有するように構成することも可能である。
【０１２１】
また、第２の実施形態のように、対物レンズ１１５と変倍レンズ１３１ａとの間の位置にハーフミラー１６５を設け、対物レンズ１１５を介して患者眼Ｅに第１照明光を照射するように構成することも可能である。
【０１２２】
手術用顕微鏡１００の制御系の構成について、図１０を参照しつつ説明する。この制御系は、第１の実施形態と同様の構成を有する（図４を参照）。
【０１２３】
制御部１９０は手術用顕微鏡１の各部の動作を制御する。たとえば、制御部１９０は、変倍機構１９１を制御して変倍レンズ系１３１の各レンズ１３１ａ〜１３１ｃを移動させる。また、制御部１９０は、操作部１９２から信号を受けて手術用顕微鏡１の各部を制御する。また、制御部１９０は、ハーフミラー駆動機構１９３を制御して、ハーフミラー１６５を移動させる。また、制御部１９０はタッチセンサ１８０から電気信号の入力を受ける。
【０１２４】
以上のような構成を有する手術用顕微鏡１の動作及び効果について説明する。
【０１２５】
レッドレフレクスを利用する場合、オペレータは、前置レンズ１１３を収納部１７４に収納させる。前置レンズ１１３が収納されると、保持アーム１１４がタッチセンサ１８０に接触する。タッチセンサ１８０は、保持アーム１１４の接触を検出して電気信号を制御部１９０に送る。この電気信号を受けると、制御部１９０は、ハーフミラー駆動機構１９３を制御してハーフミラー１６５を使用位置に配置させる。なお、ハーフミラー１６５が既に使用位置に配置されている場合には特に何もしなくてよい。
【０１２６】
続いて、制御部１９０は、照明光学系１６０のハロゲンランプ１６１を点灯させて照明光を出力させる。この照明光は、観察光軸Ｏと同軸で患者眼Ｅに入射する。それにより、明るいレッドレフレクスが得られる。
【０１２７】
一方、患者眼Ｅの後眼部を観察する場合には、オペレータは、前置レンズ１１３を収納位置から使用位置に移動させる。タッチセンサ１８０は、保持アーム１１４との接触が開放されたことを検出する。
【０１２８】
なお、タッチセンサ１８０は、保持アーム１１４が接触されている間ずっと電気信号を制御部１９０に送信するように構成されていてもよいし、接触が開放されたことに対応して電気信号を送信するように構成されていてもよい。一般に、タッチセンサ１８０は、前置レンズ１１３が収納位置から離れたこと、すなわち前置レンズ１１３が使用位置に配置されることを検出して電気信号を出力するように構成されていればよい。
【０１２９】
前置レンズ１１３が使用位置に配置されることが検出されたことを受けて、制御部１９０は、ハロゲンランプ１６１を消灯させるとともに、ハーフミラー駆動機構１９３を制御してハーフミラー１６５を退避位置に移動させる。その後、制御部１９０は、照明光学系１２０の照明光源１２１を制御して照明光を出力させる。
【０１３０】
このような制御を行うことにより、ハーフミラー１６５を観察光路から退避させた状態で、網膜や硝子体の質の高い観察像、つまり明るく収差の少ない観察像を得ることが可能になる。また、照明光の切り替えに対応して自動的にハーフミラー１６５が退避されるので、ハーフミラー１６５を移動させるための煩わしい操作を行う必要がない。
【０１３１】
〈変形例〉
以上に説明した実施形態に対して、この発明の要旨の範囲内の変形を適宜に施すことが可能である。
【０１３２】
たとえば、上記の実施形態では、投射された光の半分を反射して半分を透過させるハーフミラーを使用しているが、反射光と透過光との比率が異なる任意のビームスプリッタを使用することも可能である。また、ビームスプリッタは、板状部材に限定されるものではなく、ブロック形状の部材であってもよい。
【０１３３】
上記の実施形態では、光源としてハロゲンランプを用いているが、たとえばキセノンランプやＬＥＤなどの他の形態の光源を使用することが可能である。
【０１３４】
上記の実施形態は、所定の操作が為されたときに電気信号を出力する操作手段（操作部８０等）を備え、この操作手段から電気信号が出力されたことに対応してビームスプリッタを退避させるようになっている。すなわち、上記の実施形態では、ビームスプリッタを退避させるための要求を手動で行っている。
【０１３５】
一方、ビームスプリッタを退避させるための要求を自動的に発生させるように構成することも可能である。たとえば、所定のルーチンにしたがって患者眼を観察する場合に、要求を自動発生させることができる。具体的には、レッドレフレクスによる観察の後に自動的に後眼部の観察に移行するようなルーチンで観察を行う場合、レッドレフレクスによる観察の終了とともに上記要求を自動的に発生し、この要求に応じてビームスプリッタを退避させることが可能である。
【０１３６】
ビームスプリッタを手動で移動させるための機構を設けることが可能である。手動による移動は、駆動機構（ハーフミラー駆動機構５０等）による移動とは独立に行えるようになっている。
【０１３７】
ビームスプリッタを移動させる駆動機構の構成は、上記実施形態に限定されるものではない。たとえば、ビームスプリッタの一端に回動軸を取り付けることにより、ビームスプリッタを観察光軸に斜設させた状態（使用位置）と、回動軸から下方に懸架された状態（退避位置）とを切り替えられるように構成することが可能である。
【０１３８】
この発明の特徴の一つは、後眼部を観察するための所定の要求を受けたことに対応してビームスプリッタを観察光路から退避させる点にある。上記の実施形態における当該所定の要求は、後眼部を観察するための照明光を患者眼に照射させるための照射要求や、前置レンズの使用位置への移動であった。しかし、当該所定の要求は、これらに限定されるものではなく、最終的に又は中間的に後眼部観察に至る任意の要求であってよい。
【図面の簡単な説明】
【０１３９】
【図１】この発明に係る手術用顕微鏡の実施の形態の外観構成の一例を表す概略図である。
【図２】この発明に係る手術用顕微鏡の実施の形態の光学系の構成の一例を表す概略図である。
【図３】この発明に係る手術用顕微鏡の実施の形態の光学系の構成の一例を表す概略図である。
【図４】この発明に係る手術用顕微鏡の実施の形態の制御系の構成の一例を表す概略ブロック図である。
【図５】この発明に係る手術用顕微鏡の実施の形態の光学系の構成の一例を表す概略図である。
【図６】この発明に係る手術用顕微鏡の実施の形態の外観構成の一例を表す概略図である。
【図７】この発明に係る手術用顕微鏡の実施の形態の外観構成の一例を表す概略図である。
【図８】この発明に係る手術用顕微鏡の実施の形態の光学系の構成の一例を表す概略図である。
【図９】この発明に係る手術用顕微鏡の実施の形態の光学系の構成の一例を表す概略図である。
【図１０】この発明に係る手術用顕微鏡の実施の形態の制御系の構成の一例を表す概略ブロック図である。
【符号の説明】
【０１４０】
１  手術用顕微鏡
２０  照明光学系
２０Ａ  第１照明光学系
２０ａ  第１照明光軸
２０Ｂ  第２照明光学系
２０ｂ  第２照明光軸
２１、２５  ハロゲンランプ
２９  偏向ミラー
３０  観察光学系
３０ａ  観察光軸
３１  対物レンズ
３２  変倍レンズ
３６  接眼レンズ
４０  ハーフミラー
５０  ハーフミラー駆動機構
６０  制御部
７０  変倍機構
８０  操作部
【図１】
2009297073.tif 000003
【図２】
2009297073.tif 000004
【図３】
2009297073.tif 000005
【図４】
2009297073.tif 000006
【図５】
2009297073.tif 000007
【図６】
2009297073.tif 000008
【図７】
2009297073.tif 000009
【図８】
2009297073.tif 000010
【図９】
2009297073.tif 000011
【図１０】
2009297073.tif 000012